(57)【要約】【課題】シンプルに操作でき、高いセキュリティを確保できる入金機を提供することを目的とする。【解決手段】本発明の入金機１は、貨幣を収納して着脱自在な収納ケース１１と、被制御装置Ｐと、被制御装置Ｐを制御する制御装置１０と、を有する入金機１であって、コード情報ＣＩＤを読み取り可能な読取装置１５と、ユーザ情報ＵＩＤを登録可能な記憶装置１６と、を備え、被制御装置Ｐは、収納ケース１１に貨幣を搬送可能な入金機能を有する入金装置１２と、収納ケース１１を解錠状態と施錠状態とで切換可能なロック機能を有するロック装置１３と、を備え、制御装置１０は、コード情報ＣＩＤとユーザ情報ＵＩＤとの相互認証がなされた場合、ユーザ情報ＵＩＤに応じて、複数の被制御装置Ｐのうちのいずれか又は組み合わせを制御する。【選択図】  図１
2019207659.tif 000002
【特許請求の範囲】
【請求項１】
貨幣を収納して着脱自在な収納ケースと、被制御装置と、前記被制御装置を制御する制御装置と、を有する入金機であって、
前記入金機は、コード情報を読み取り可能な読取装置と、ユーザ情報を登録可能な記憶装置と、を備え、
前記被制御装置は、前記収納ケースに貨幣を搬送可能な入金機能を有する入金装置と、前記収納ケースを解錠状態と施錠状態とで切換可能なロック機能を有するロック装置と、を備え、
前記制御装置は、前記コード情報と前記ユーザ情報との相互認証がなされた場合、
前記ユーザ情報に応じて、複数の前記被制御装置のうちのいずれか又は組み合わせを制御する
ことを特徴とする入金機。
【請求項２】
前記制御装置は、前記コード情報と前記ユーザ情報との相互認証がなされた場合、
前記ユーザ情報に応じて、前記入金装置及び前記ロック装置のいずれかを制御する
ことを特徴とする請求項１に記載の入金機。
【請求項３】
前記制御装置は、
前記ユーザ情報が前記入金装置への入金権限者に関する情報である場合、前記入金装置を制御し、
前記ユーザ情報が前記収納ケースの回収権限者に関する情報である場合、前記ロック装置を制御する
ことを特徴とする請求項１又は請求項２に記載の入金機。
【請求項４】
前記被制御装置は、ログ情報を出力可能な出力装置を備え、
前記制御装置は、前記相互認証がなされた場合、
前記ユーザ情報に応じて、前記入金装置、前記ロック装置及び出力装置のいずれかを制御する
ことを特徴とする請求項１から請求項３のいずれか１項に記載の入金機。
【請求項５】
前記制御装置は、
前記ユーザ情報が前記ログ情報の参照権限者に関する情報である場合、前記出力装置を制御する
ことを特徴とする請求項４に記載の入金機。
【請求項６】
前記制御装置は、
前記ユーザ情報が前記ログ情報の参照権限者に関する情報である場合、前記入金装置を制御する
ことを特徴とする請求項５に記載の入金機。
【発明の詳細な説明】
【技術分野】
【０００１】
本発明は、入金機に関するものである。
【背景技術】
【０００２】
従来、本体に対して着脱可能な貨幣カセットと、貨幣カセットの取り出しを禁止又は許容する施錠部と、施錠部の動作を制御する制御部と、を備えた入金機がある（特許文献１参照）。
【先行技術文献】
【特許文献】
【０００３】
【特許文献１】特開平６−２６６９６３号公報
【発明の概要】
【発明が解決しようとする課題】
【０００４】
しかしながら、従来の入金機から貨幣カセットを取り出すには、警備員等が、物理キーである警備員用キーによって、操作表示部の金庫取出キースイッチをＯＮし、入金機の通信部に接続された電子手帳用コネクタに電子手帳を装填して、入金機の制御部のメモリに格納されているデータを回収して、制御部に施錠部を解錠させる必要があり、入金機の操作性及びセキュリティに改善の余地があった。
本発明は、上記事情に鑑みてなされたものであり、シンプルに操作でき、高いセキュリティを確保できる入金機を提供することを目的とする。
【課題を解決するための手段】
【０００５】
上記目的を達成するために、以下の構成によって把握される。
（１）本発明の入金機は、貨幣を収納して着脱自在な収納ケースと、被制御装置と、前記被制御装置を制御する制御装置と、を有する入金機であって、前記入金機は、コード情報を読み取り可能な読取装置と、ユーザ情報を登録可能な記憶装置と、を備え、前記被制御装置は、前記収納ケースに貨幣を搬送可能な入金機能を有する入金装置と、前記収納ケースを解錠状態と施錠状態とで切換可能なロック機能を有するロック装置と、を備え、前記制御装置は、前記コード情報と前記ユーザ情報との相互認証がなされた場合、前記ユーザ情報に応じて、複数の前記被制御装置のうちのいずれか又は組み合わせを制御する。
（２）上記（１）の構成において、前記制御装置は、前記コード情報と前記ユーザ情報との相互認証がなされた場合、前記ユーザ情報に応じて、前記入金装置及び前記ロック装置のいずれかを制御する。
（３）上記（１）又は（２）の構成において、前記制御装置は、前記ユーザ情報が前記入金装置への入金権限者に関する情報である場合、前記入金装置を制御し、前記ユーザ情報が前記収納ケースの回収権限者に関する情報である場合、前記ロック装置を制御する。
（４）上記（１）から（３）のいずれかの構成において、前記被制御装置は、ログ情報を出力可能な出力装置を備え、前記制御装置は、前記相互認証がなされた場合、前記ユーザ情報に応じて、前記入金装置、前記ロック装置及び出力装置のいずれかを制御する。
（５）上記（４）の構成において、前記制御装置は、前記ユーザ情報が前記ログ情報の参照権限者に関する情報である場合、前記出力装置を制御する。
（６）上記（５）の構成において、前記制御装置は、前記ユーザ情報が前記ログ情報の参照権限者に関する情報である場合、前記入金装置を制御する。
【発明の効果】
【０００６】
本発明によれば、シンプルに操作でき、高いセキュリティを確保できる入金機を提供できる。
【図面の簡単な説明】
【０００７】
【図１】本実施形態に係る入金機を備えた貨幣管理システムの構成図である。
【図２】本実施形態に係る入金機を備えた貨幣管理システムのブロック図である。
【図３】本実施形態に係る入金機における制御装置による制御処理手順を示すフローチャートである。
【図４】ユーザ情報のリストの具体例を示す説明図である。
【図５】ログ情報のリストの具体例を示す説明図である。
【発明を実施するための形態】
【０００８】
（実施形態）
以下、図面を参照して本発明を実施するための形態（以下、実施形態）について詳細に説明する。なお、実施形態の説明の全体を通して同じ要素には同じ番号又は符号を付している。なお、以下、特に説明のない限り、貨幣は、紙幣及び硬貨の両方を含む概念を意味する。
【０００９】
図１は、本実施形態に係る入金機１を備えた貨幣管理システムＳの構成図である。図２は、本実施形態に係る入金機１を備えた貨幣管理システムＳのブロック図である。
【００１０】
図１に示すように、貨幣管理システムＳは、入金機１と、管理サーバ２と、携帯端末３と、を備えている。入金機１と、管理サーバ２と、携帯端末３とは、互いに、インターネット等のネットワークＮＥＴを介して通信可能に接続されている。
【００１１】
管理サーバ２は、通常、入金機１が設置されている場所を基準とする遠隔地（例えば、銀行）に設置されている。管理サーバ２は、ネットワークＮＥＴに接続可能な管理サーバ通信装置２１を有している。管理サーバ２は、ＣＰＵ及びメモリ等を含む制御装置２０を有している。
【００１２】
携帯端末３は、例えば、いわゆるスマートフォンであり、少なくとも、ＱＲコード（登録商標）等の二次元コードを表示可能なモニタ３２を有している。なお、ＱＲコードは、ユーザが入金機１の機能を利用する度に、管理サーバ２から時限的に発行（送信）される、いわゆるワンタイムＱＲコードであってもよい。また、携帯端末３は、ネットワークＮＥＴに接続可能な携帯端末通信装置３１を有している。なお、携帯端末３の携帯端末通信装置３１は、入金機１に対してブルートゥース（登録商標）等の無線通信可能な無線通信装置（不図示）を有していてもよい。携帯端末３は、ＣＰＵ及びメモリ等を含む制御装置３０を有している。
【００１３】
入金機１は、通常、管理サーバ２が設置されている場所を基準とする遠隔地（例えば、小売店の店舗）に設置されている。
入金機１は、貨幣を収納する収納ケース１１と、被制御装置Ｐ（入金装置１２及びロック装置１３等）と、被制御装置Ｐを制御する制御装置１０と、を有している。収納ケース１１が収められる入金機１の内部空間は、その開口部が、施錠扉１７によって開閉できるようになっている。
入金機１は、コード情報ＣＩＤを読み取り可能な読取装置１５と、ユーザ情報ＵＩＤを登録可能な記憶装置１６と、を有している。
入金機１は、読取装置１５を起動するトリガボタン１９を有している。
【００１４】
収納ケース１１は、貨幣を収納するものであり、内部に貨幣の収納空間を有する箱状のものである。収納ケース１１は、入金機１に設けられた施錠扉１７を開けることにより、入金機１の内部から取り出したり、装着したりできるように、入金機１の内部に収められている。すなわち、収納ケース１１は、入金機１に対して着脱自在になっている。なお、収納ケース１１は、それ自体が物理キー等によって施錠及び解錠できるようになっていてもよい。
【００１５】
被制御装置Ｐは、制御装置１０による制御対象となる装置であり、収納ケース１１に貨幣を搬送可能な入金機能を有する入金装置１２と、収納ケース１１を解錠状態と施錠状態とで切換可能なロック機能を有するロック装置１３と、を有している。
また、被制御装置Ｐは、ネットワークＮＥＴに対して通信可能に接続された通信装置１８を有している。
さらに、被制御装置Ｐは、ログ情報ＬＯＧを出力可能な出力装置１４を有していてもよい。ログ情報ＬＯＧは、入金機１が、経時的にどのように動作したかに関する情報、言い換えると、誰が、どの被制御装置Ｐを、いつ、どのように動作させたかに関する情報である。
【００１６】
ログ情報ＬＯＧは、例えば、入金額、入金時刻及び入金者のコード情報ＣＩＤ等の入金履歴、ロック解錠・施錠時刻及びロック解錠・施錠者のコード情報ＣＩＤ等の回収履歴、並びに、ログ情報参照時刻、ログ情報参照者のコード情報ＣＩＤ等の参照履歴等である。
図５は、ログ情報ＬＯＧのリストの具体例を示しており、左列から順に、時刻ｙｍｄｈｍｓ、コード情報ＣＩＤ、被制御装置Ｐ、回収額ＯＵＴ、入金額ＩＮ、収納ケース１１内の総額Ｔである。例えば、最も直近に行われたログ情報ＬＯＧは、２０１８年５月２８日１６時３０分００秒に、第１コード情報ＣＩＤ１により、入金装置１２が制御されて、３万円の入金が行われ、収納ケース１１に収納されている総額Ｔは９万円となっており、最も上の行に示されている。
【００１７】
入金装置１２は、入金機１の前面に設けられた貨幣挿入口から挿入された貨幣を収納ケース１１まで搬送するものである。入金装置１２は、貨幣挿入口から収納ケース１１までの搬送経路上に、適宜、貨幣の種類（金額）を識別する貨幣識別装置（不図示）を有している。
【００１８】
ロック装置１３は、収納ケース１１を入金機１の内部空間に収めた状態で施錠扉１７を解錠する解錠状態と施錠扉１７を施錠する施錠状態とで切換可能なロック機能を有している。
【００１９】
出力装置１４は、記憶装置１６に記憶されたログ情報ＬＯＧ又はログ情報ＬＯＧに基づく演算結果を出力するものである。出力装置１４は、例えば、入金機１の前面に設けられたディスプレイであってよい。なお、出力装置１４は、ログ情報ＬＯＧを印字可能なプリンタ、ログ情報ＬＯＧを音声出力するスピーカ等であってもよい。
【００２０】
読取装置１５は、携帯端末３のモニタ３２等に表示された、例えば、ＱＲコード等の二次元コード又はバーコード等を読み取り可能な装置である。
【００２１】
記憶装置１６は、コード情報ＣＩＤ、ユーザ情報ＵＩＤ、被制御装置Ｐ、ログ情報ＬＯＧ等を記憶するものである。また、記憶装置１６は、制御装置１０を駆動する制御プログラムを記憶している。
【００２２】
施錠扉１７は、収納ケース１１が収容される入金機１の内部空間の開口部に対して開閉自在に揺動する扉である。施錠扉１７は、ロック装置１３によって、施錠状態又は解錠状態にできるようになっている。
【００２３】
通信装置１８は、有線又は無線の各種通信規格により、入金機１からのログ情報ＬＯＧ等の情報をネットワークＮＥＴを介して管理サーバ２又は携帯端末３に送信し、それらからの情報の受信を可能にするものである。
【００２４】
トリガボタン１９は、接触型又は非接触型の適宜のスイッチであり、主に、読取装置１５を起動するものである。
【００２５】
（管理サーバ２の制御装置２０）
管理サーバ２の制御装置２０は、管理サーバ通信装置２１を制御する管理サーバ通信制御部２２１を備えている。なお、制御装置２０は、適宜、ＣＰＵ及びメモリ等（不図示）を有している。
【００２６】
（携帯端末３の制御装置３０）
携帯端末３の制御装置３０は、携帯端末通信装置３１を制御する携帯端末通信制御部３３１を備えている。また、制御装置３０は、モニタ３２を制御するモニタ制御部３３２を備えている。なお、制御装置２０は、適宜、ＣＰＵ及びメモリ等（不図示）を有している。
【００２７】
（入金機１の制御装置１０）
以下、入金機１の制御装置１０について詳細に説明する。
制御装置１０は、読取装置１５により読み取ったコード情報ＣＩＤに応じて、あらかじめ記憶部１１６に記憶されたプログラムにより、被制御装置Ｐを制御する。
具体的には、制御装置１０は、読取装置１５により読み取ったコード情報ＣＩＤと記憶装置１６に登録されたユーザ情報ＵＩＤとの相互認証がなされた場合、ユーザ情報ＵＩＤに応じて、入金装置１２及びロック装置１３のいずれかを制御する。
また、被制御装置Ｐが出力装置１４を備えている場合は、ユーザ情報ＵＩＤに応じて、入金装置１２、ロック装置１３及び出力装置１４のいずれかを制御するようになっている。
したがって、ユーザは、入金機１の読取装置１５によってコード情報ＣＩＤを読み取らせるというシンプルな操作で、機能の異なる複数の被制御装置Ｐの内から、そのユーザが権限を有する特定の被制御装置Ｐを動作させることができる。また、物理キーの管理が不要となり、高いセキュリティを確保できる。
【００２８】
また、制御装置１０は、ユーザ情報ＵＩＤが入金機１への入金権限者（例えば、入金機１を設置している店舗の店員）に関する情報である場合、入金装置１２を制御する。
同様に、制御装置１０は、ユーザ情報ＵＩＤが収納ケース１１の回収権限者（例えば、警送会社から派遣された回収員）に関する情報である場合、ロック装置１３を制御する。
同様に、制御装置１０は、ユーザ情報ＵＩＤがログ情報ＬＯＧの参照権限者（例えば、入金機１を設置している店舗の店長）に関する情報である場合、入金装置１２及び出力装置１４を制御する。
このように、例えば、参照権限者に、ログ情報ＬＯＧの参照権限のみならず、入金権限をも付与する等、特定の一の権限者に、二以上の権限を付与しても良い。すなわち、ユーザ情報ＵＩＤと被制御装置Ｐとの関係は一対一である場合に限らず、特定の一のユーザ情報ＵＩＤに対して、二以上の被制御装置Ｐとを関係付けてもよい。
このように、ユーザは、入金機１の読取装置１５によってコード情報ＣＩＤを読み取らせるというシンプルな操作で、権限者の属性（入金権限者、回収権限者、参照権限者等）に応じて、その属性に関係する被制御装置Ｐ（入金装置１２、ロック装置１３、出力装置１４等）のいずれか又は組み合わせを制御できる。
【００２９】
詳細には、図２に示すように、入金機１の制御装置１０は、入金装置１２を制御する入金制御部１１２と、ロック装置１３を制御するロック制御部１１３と、出力装置１４を制御する出力制御部１１４と、読取装置１５を制御する読取制御部１１５と、記憶装置１６を制御する記憶部１１６と、通信装置１８を制御する通信部１１８と、を有している。
なお、制御装置１０は、適宜、ＣＰＵ及びメモリ等（不図示）を有している。
【００３０】
記憶部１１６は、登録可能なユーザ情報ＵＩＤ及びコード情報ＣＩＤ、被制御装置Ｐ、ログ情報ＬＯＧ等を記憶するものである。また、記憶部１１６は、制御装置１０を駆動する制御プログラムを記憶している。
【００３１】
（制御装置１０による処理）
次に、図３から図５を用いて、制御装置１０による制御処理の流れを説明する。
図３は、本実施形態に係る入金機１における制御装置１０による制御処理手順を示すフローチャートである。図４は、ユーザ情報ＵＩＤのリストの具体例を示す説明図である。図５は、ログ情報ＬＯＧのリストの具体例を示す説明図である。
【００３２】
はじめに、入金機１の記憶装置１６に、コード情報ＣＩＤと、入金機１の機能を利用できる権限者に対して発行されるユーザ情報ＵＩＤと、そのユーザ情報ＵＩＤの属性に関係する被制御装置Ｐとを紐づけて、あらかじめ登録しておく。例えば、図４に示すように、第１コード情報ＣＩＤ１と入金権限者情報ＵＩＤ１と入金装置１２とを関係付けておき、第２コード情報ＣＩＤ２と回収権限者情報ＵＩＤ２とロック装置１３とを関係付けておき、第３コード情報ＣＩＤ３と参照権限者情報ＵＩＤ３と出力装置１４とを関係付けておく。また、参照権限を付与した店長には、参照権限に加えて、入金権限も付与されることを想定し、第３コード情報ＣＩＤ３と参照権限者情報ＵＩＤ３に対して、入金装置１２も関連付けておく。
また、入金装置１２は入金を受け付けない停止状態になっており、ロック装置１３は施錠状態になっており、出力装置１４は出力を行わない停止状態になっている。
【００３３】
図３に示すように、まず、制御装置１０は、入金機１に電源（不図示）からの電力が投入されることに伴い、起動する（ＳＴＡＲＴ）。
【００３４】
次に、制御装置１０は、入金機１に設けられたトリガボタン１９が押されるまで待機する（ステップＳ１において、ＮＯ）。
そして、制御装置１０は、トリガボタン１９が押されると（ステップＳ１において、ＹＥＳ）、読取装置１５を起動する（ステップＳ２）。なお、適宜、トリガボタン１９が押されてから所定の時間が経過した場合に読取装置１５による読み取り動作を中止するタイマを作動する。
【００３５】
制御装置１０は、読取装置１５を起動すると（ステップＳ２）、コード情報ＣＩＤを読み取るまで待機する（ステップＳ３においてＮＯ）。なお、待機時間が所定時間を超える場合は、ステップ１に戻るようにしてもよい。
【００３６】
制御装置１０は、読取装置１５が読み取ったコード情報ＣＩＤを読み取ると（ステップＳ３でＹＥＳ）、その読み取ったコード情報ＣＩＤが、あらかじめ記憶装置１６に記憶された第１コード情報ＣＩＤ１であるかどうかを照合する（ステップＳ４）。
【００３７】
読み取ったコード情報ＣＩＤが、あらかじめ記憶装置１６に記憶された第１コード情報ＣＩＤ１と一致した場合（ステップＳ４でＹＥＳ）、制御装置１０は、入金装置１２を制御して、入金を受け付けるようにする（ステップＳ５）。
【００３８】
読み取ったコード情報ＣＩＤが、あらかじめ記憶装置１６に記憶された第１コード情報ＣＩＤ１と一致しない場合（ステップＳ４でＮＯ）、読み取ったコード情報ＣＩＤが、あらかじめ記憶装置１６に記憶された第２コード情報ＣＩＤ２であるかどうかを照合する（ステップＳ６）。
【００３９】
読み取ったコード情報ＣＩＤが、あらかじめ記憶装置１６に記憶された第２コード情報ＣＩＤ２と一致した場合（ステップＳ６でＹＥＳ）、制御装置１０は、ロック装置１３を制御して、施錠扉１７を解錠状態にさせる（ステップＳ７）。
【００４０】
読み取ったコード情報ＣＩＤが、あらかじめ記憶装置１６に記憶された第２コード情報ＣＩＤ２と一致しない場合（ステップＳ６でＮＯ）、読み取ったコード情報ＣＩＤが、あらかじめ記憶装置１６に記憶された第３コード情報ＣＩＤ３であるかどうかを照合する（ステップＳ８）。
【００４１】
読み取ったコード情報ＣＩＤが、あらかじめ記憶装置１６に記憶された第３コード情報ＣＩＤ３と一致した場合（ステップＳ８でＹＥＳ）、制御装置１０は、出力装置１４を制御して、ログ情報ＬＯＧ（例えば、図５参照）を出力させる（ステップＳ９）。また、制御装置１０は、入金装置１２を制御して、入金を受け付けるようにする。
【００４２】
読み取ったコード情報ＣＩＤが、あらかじめ記憶装置１６に記憶された第３コード情報ＣＩＤ３と一致しない場合（ステップＳ８でＮＯ）、又は、ステップ１においてトリガボタン１９が押されてから所定の時間が経過した場合、制御装置１０は制御処理を終了する（ＥＮＤ）。又は、適宜、制御装置１０は、ステップＳ１の状態に戻り、制御処理を継続する。
【００４３】
（使用方法）
次に、ユーザが入金機１を利用する際の入金機１の使用方法について説明する。
入金機１の記憶装置１６には、コード情報ＣＩＤ、ユーザ情報ＵＩＤ及び被制御装置Ｐを関係付けて、あらかじめ記憶しておく。
ユーザは、入金機１の使用権限（例えば、入金機１への入金権限、収納ケース１１の回収権限、ログ情報ＬＯＧの参照権限）に対応するコード情報ＣＩＤ（例えば、第１コード情報ＣＩＤ１、第２コード情報ＣＩＤ２、第３コード情報ＣＩＤ３）を携帯端末３に保存しておく。なお、コード情報ＣＩＤは、期限付きで発行されるもの（例えば、いわゆるワンタイムＱＲコード）であってもよい。
【００４４】
第１に、ユーザが、入金機１への入金権限者である、例えば、入金機１を設置している店舗の店員であり、その店員が入金機１に入金しようとする場合を想定する。
（Ａ１）店員は、まず、トリガボタン１９を押下する。すると、読取装置１５がコード情報ＣＩＤの読み取りを開始する。
（Ａ２）次に、店員は、店員が所有しているＩＤカードに表示されている、第１コード情報ＣＩＤ１（ＱＲコード又はバーコード）を、読取装置１５に向けて、第１コード情報ＣＩＤ１を読取装置１５に読み取らせる。なお、店員の携帯端末３に、保存された第１コード情報ＣＩＤ１（例えば、ＱＲコード）を表示させた状態で、モニタ３２を読取装置１５に向けて、第１コード情報ＣＩＤ１を読取装置１５に読み取らせるようにしてもよい。
（Ａ３）すると、第１コード情報ＣＩＤ１の属性に対応する入金装置１２が起動し、入金（貨幣の挿入）を受け付け始めるので、店員は、例えば、店舗の売上金に相当する貨幣を入金装置１２に挿入する。入金装置１２は、挿入された貨幣を搬送し、収納ケース１１に収納する。この際、入金機１は、適宜、入金したユーザのコード情報ＣＩＤ、入金された額及び入金時刻等のログ情報ＬＯＧを記憶する。入金機１は、適宜、ログ情報ＬＯＧを管理サーバ２又は携帯端末３に送信する。
トリガボタン１９が押下されてから所定時間が経過すると、入金装置１２は入金の受付を停止するので、店員は、入金する度に、トリガボタン１９を押下し、コード情報ＣＩＤを読取装置１５に読み取らせる。
このようにして、入金権限のある店員は、入金機１に貨幣を入金できる。
【００４５】
第２に、ユーザが、収納ケース１１の回収権限者である、例えば、警送会社から派遣された回収員であり、その回収員が入金機１から収納ケース１１を回収しようとする場合を想定する。
（Ｂ１）回収員は、まず、トリガボタン１９を押下する。すると、読取装置１５がコード情報ＣＩＤの読み取りを開始する。
（Ｂ２）次に、回収員は、携帯端末３のモニタ３２に、保存された第２コード情報ＣＩＤ２（例えば、ＱＲコード）を表示させた状態で、モニタ３２を読取装置１５に向けて、第２コード情報ＣＩＤ２を読取装置１５に読み取らせる。
（Ｂ３）すると、第２コード情報ＣＩＤ２の属性に対応するロック装置１３が起動し、施錠扉１７が解錠されるので、回収員は、例えば、施錠扉１７を開けて、入金機１の内部空間から収納ケース１１を取り出す。この際、入金機１は、適宜、収納ケース１１を取り出したユーザのコード情報ＣＩＤ、収納ケース１１が取り出される直前に収納ケース１１に収納された貨幣の金額及び施錠扉１７が解錠された時刻等のログ情報ＬＯＧを記憶する。入金機１は、適宜、ログ情報ＬＯＧを管理サーバ２又は携帯端末３に送信する。
（Ｂ４）一方、回収員は、取り出した収納ケース１１の代わりに、代替の収納ケース１１を入金機１の内部にセットする。そして、施錠扉１７を閉めた状態にする。そして、回収員は、トリガボタン１９を押下する。すると、読取装置１５がコード情報ＣＩＤの読み取りを開始する。
（Ｂ５）続いて、回収員は、携帯端末３のモニタ３２に、保存された第２コード情報ＣＩＤ２（例えば、ＱＲコード）を表示させた状態で、モニタ３２を読取装置１５に向けて、第２コード情報ＣＩＤ２を読取装置１５に読み取らせる。
（Ｂ６）すると、第２コード情報ＣＩＤ２の属性に対応するロック装置１３が起動し、施錠扉１７が施錠される。この際、入金機１は、適宜、施錠扉１７を施錠したユーザのコード情報ＣＩＤ、新たにセットされた収納ケース１１に収納された貨幣の金額及び施錠扉１７が施錠された時刻等のログ情報ＬＯＧを記憶する。入金機１は、適宜、ログ情報ＬＯＧを管理サーバ２又は携帯端末３に送信する。
このようにして、回収権限のある回収員は、入金機１の収納ケース１１を回収できる。
【００４６】
第３に、ユーザが、参照権限者である、例えば、入金機１を設置している店舗の店長であり、その店長が入金機１に入金した金額の総計（売上金額）を確認しようとする場合を想定する。
（Ｃ１）店長は、まず、トリガボタン１９を押下する。すると、読取装置１５がコード情報ＣＩＤの読み取りを開始する。
（Ｃ２）次に、店長は、携帯端末３のモニタ３２に、保存された第３コード情報ＣＩＤ３（例えば、ＱＲコード）を表示させた状態で、モニタ３２を読取装置１５に向けて、第３コード情報ＣＩＤ３を読取装置１５に読み取らせる。
（Ｃ３）すると、第３コード情報ＣＩＤ３の属性に対応する出力装置１４が起動し、出力装置１４に、記憶されたログ情報ＬＯＧに基づいて演算された売上金額が出力される。例えば、出力装置１４がディスプレイである場合、そのディスプレイに売上金額が表示される。また、同時に、第３コード情報ＣＩＤ３の属性に対応する入金装置１２も起動し、入金装置１２は入金を受け付けるようになる。
このようにして、参照権限のある店長は、入金機１の収納ケース１１に入金された金額、すなわち、売上金額を確認できる。また、参照権限のある店長は、入金機１に貨幣を入金できる。
【００４７】
以上、本発明の好ましい実施形態について詳述したが、本発明に係る入金機１は上述した実施形態に限定されるものではなく、特許請求の範囲に記載された本発明の要旨の範囲内において、種々の変形、変化が可能である。
【００４８】
例えば、以上説明した実施形態においては、読取装置１５で読み取ったコード情報ＣＩＤに応じて、そのコード情報ＣＩＤに対応する関係となる被制御装置Ｐを制御するものとしたが、これに限らず、例えば、第１コード情報ＣＩＤ１が読み取られた場合に入金装置１２、出力装置１４及び通信装置１８を制御したり、第１コード情報ＣＩＤ１が読み取られた場合に入金装置１２及び出力装置１４を制御したりする等、読取装置１５で読み取ったコード情報ＣＩＤに応じて、そのコード情報ＣＩＤに対応して被制御装置Ｐのいずれかを適宜の組み合わせで制御してもよい。
【００４９】
本発明の入金機１によれば、貨幣を収納して着脱自在な収納ケース１１と、被制御装置Ｐと、被制御装置Ｐを制御する制御装置１０と、を有する入金機１であって、コード情報ＣＩＤを読み取り可能な読取装置１５と、ユーザ情報ＵＩＤを登録可能な記憶装置１６と、を備え、被制御装置Ｐは、収納ケース１１に貨幣を搬送可能な入金機能を有する入金装置１２と、収納ケース１１を解錠状態と施錠状態とで切換可能なロック機能を有するロック装置１３と、を備え、制御装置１０は、コード情報ＣＩＤとユーザ情報ＵＩＤとの相互認証がなされた場合、ユーザ情報ＵＩＤに応じて、複数の被制御装置Ｐのうちのいずれか又は組み合わせ（特に、入金装置１２及びロック装置１３のいずれか）を制御するので、ユーザは、入金機１の読取装置１５によってコード情報ＣＩＤを読み取らせるというシンプルな操作で、機能の異なる複数の被制御装置Ｐの内から、そのユーザが権限を有する特定の一又は組み合わせとなる被制御装置Ｐを動作させることができる。また、物理キーの管理が不要となり、高いセキュリティを確保できる。よって、シンプルに操作でき、高いセキュリティを確保できる入金機１を提供できる。
【符号の説明】
【００５０】
１      入金機
２      管理サーバ
３      携帯端末
１０    （入金機の）制御装置
１１    収納ケース
１２    入金装置
１３    ロック装置
１４    出力装置
１５    読取装置
１６    記憶装置
１７    施錠扉
１８    通信装置
１９    トリガボタン
２０    （管理サーバの）制御装置
２１    管理サーバ通信装置
３０    （携帯端末の）制御装置
３１    携帯端末通信装置
３２    モニタ
１１２  入金制御部
１１３  ロック制御部
１１４  出力制御部
１１５  読取制御部
１１６  記憶部
１１８  通信部
２２１  管理サーバ通信制御部
３３１  携帯端末通信制御部
３３２  モニタ制御部
ＣＩＤ  コード情報
ＣＩＤ１  第１コード情報
ＣＩＤ２  第２コード情報
ＣＩＤ３  第３コード情報
ＩＮ    入金額
ＯＵＴ  回収額
ＬＯＧ  ログ情報
Ｔ      総額
ＮＥＴ  ネットワーク
Ｐ      被制御装置
Ｓ      貨幣管理システム
ＵＩＤ  ユーザ情報
ＵＩＤ１  入金権限者情報
ＵＩＤ２  回収権限者情報
ＵＩＤ３  参照権限者情報
【図１】
2019207659.tif 000003
【図２】
2019207659.tif 000004
【図３】
2019207659.tif 000005
【図４】
2019207659.tif 000006
【図５】
2019207659.tif 000007